(57)【要約】      （修正有）【課題】ネットワーク映画商品即時選択購入システム及び方法を提供する。【解決手段】活動データベースを含むネットワークサーバ１１と、ネットワーク映画を再生する映画プレイヤー（パソコン１３、タブレットＰＣ１４、携帯電話１５）を含む。使用者がネットワーク映画の再生画面に表示される商品をクリックする時、映画プレイヤーは、再生画面の映画コード、時間ラベル及びクリック座標をネットワークサーバに伝送し、活動データベース中の活動データを対比させ、映画コードが指すネットワーク映画の時間ラベル前後の所定時間区間の活動データがクリック座標を含むキャリブレーションエリアがある時、活動データの商品データ欄の商品データを活動リストに加え、使用者に検索、選択購入させる。【選択図】図１
2016119038.tif 000002
【特許請求の範囲】
【請求項１】
使用者がネットワーク映画を鑑賞時に該ネットワーク映画中に表示される商品を即時選択購入することに適用し、
活動データベースを有し、該活動データベースは、複数の活動データを含み、該活動データは、映画コード欄、時間ラベル欄、キャリブレーションエリア欄及び商品データ欄を含み、該映画コード欄の映画コードは、該ネットワーク映画を指し、該時間ラベル欄の時間ラベルは、該ネットワーク映画の時間軸上のイメージ画面を指し、該キャリブレーションエリア欄のキャリブレーションエリアは、該ネットワーク映画の該時間ラベルが指す該イメージ画面中で表示する商品の位置を表し、該商品データ欄は、該ネットワーク映画の該時間ラベルが指す該イメージ画面の該キャリブレーションエリアが表示する商品の関連データの為であるネットワークサーバと、
インターネットを介して該ネットワークサーバに接続し、該ネットワーク映画を再生することに用いられる映画プレイヤーと、
を含み、そのうち、該使用者が該ネットワーク映画の再生画面に表示される商品をクリックする時、該映画プレイヤーは、該再生画面の映画コード、時間ラベル及びクリック座標を該ネットワークサーバに伝送し、該ネットワークサーバに該活動データベース中の該活動データを対比させ、且つ該映画コードが指す該ネットワーク映画の該時間ラベル前後の所定時間区間の該活動データが該クリック座標を含むキャリブレーションエリアを有する時、該活動データの該商品データ欄の商品データを活動リスト中に加えるネットワーク映画商品即時選択購入システム。
【請求項２】
前記ネットワークサーバは、該商品データを該映画プレイヤーに伝送し、該映画プレイヤーが該商品データを該活動リスト中に加え、該使用者に該滑動リストの検索又は調整を選択させる請求項１に記載のネットワーク映画商品即時選択購入システム。
【請求項３】
前記活動データベースの一部の該活動データが、映画コード欄、時間ラベル欄、キャリブレーションエリア欄及び広告データ欄を含み、該広告データ欄は、該ネットワーク映画の該時間ラベルが指す該イメージ画面の該キャリブレーションエリアに表示するシーンの関連広告データの為である請求項１に記載のネットワーク映画商品即時選択購入システム。
【請求項４】
前記所定時間区間は、該映画コードが指す該ネットワーク映画の該時間ラベル前後の各０．６秒である請求項１に記載のネットワーク映画商品即時選択購入システム。
【請求項５】
ネットワークサーバに適用するネットワーク映画商品即時選択購入方法であって、使用者にネットワーク映画を鑑賞時に該ネットワーク映画中に表示される商品を選択購入させ、該ネットワークサーバは、活動データベースを有し、該活動データベースは、複数の活動データを含み、該活動データは、映画コード欄、時間ラベル欄、キャリブレーションエリア欄及び商品データ欄を含み、該映画コード欄の映画コードは、該ネットワーク映画を指し、該時間ラベル欄の時間ラベルは、該ネットワーク映画の時間軸上のイメージ画面を指し、該キャリブレーションエリア欄のキャリブレーションエリアは、該ネットワーク映画の該時間ラベルが指す該イメージ画面中で表示する商品の位置を表し、該商品データ欄は、該ネットワーク映画の該時間ラベルが指す該イメージ画面の該キャリブレーションエリアが表示する商品の関連データの為であり、
該方法は、
該使用者が該ネットワーク映画の再生画面に表示される商品をクリックする時、該再生画面の映画コード、時間ラベル及びクリック座標を受け取る；
該再生画面の該映画コード、該時間ラベル及び該クリック座標を該活動データベース中の該活動データと対比させる；
該映画コードが指す該ネットワーク映画の該時間ラベル前後の所定時間区間の該活動データが該クリック座標を含む該キャリブレーションエリアを有する時、該活動データの該商品データ欄の商品データを伝送し、活動リスト中に加える；
ステップを含むネットワーク映画商品即時選択購入方法。
【請求項６】
更に、該使用者に該活動リストの検索又は調整を選択させるステップを含む請求項５に記載のネットワーク映画商品即時選択購入方法。
【請求項７】
前記活動データベースの一部の該活動データは、映画コード欄、時間ラベル欄、キャリブレーションエリア欄及び広告データ欄を含み、該広告データ欄は、該ネットワーク映画の該時間ラベルが指す該イメージ画面の該キャリブレーションエリアが表示するシーンの関連広告データの為である請求項５に記載のネットワーク映画商品即時選択購入方法。
【請求項８】
前記所定時間区間は、該映画コードが指す該ネットワーク映画の該時間ラベルの前後各６．０秒である請求項５に記載のネットワーク映画商品即時選択購入方法。
【請求項９】
ネットワーク映画商品即時選択購入に必要な活動データベースを確立することに適用されるネットワーク映画商品確立方法であって、該活動データベースは、複数の活動データを含み、該活動データは、映画コード欄、時間ラベル欄、キャリブレーションエリア欄及び商品データ欄を含み、該方法は、
ネットワーク映画の再生画面のイメージを取得する；
商品のイメージを取得する；
該商品イメージが取得した該再生画面中に存在するかを対比する；
該商品イメージが取得した該再生画面に存在する場合、該ネットワーク映画の映画コード、該再生画面を該ネットワーク映画が所在する時間ラベル、該商品イメージが該再生画面中に表示されるキャリブレーションエリア及び該商品イメージが表す商品の関連データをそれぞれ該活動データベースの該映画コード欄、該時間ラベル欄、該キャリブレーションエリア欄及び該商品データ欄に記録する；
ステップを含むネットワーク映画商品確立方法。
【請求項１０】
前記商品イメージの特徴が再生画面に存在する比率が所定の比率より高い時、該商品イメージが取得した該再生画面中に存在すると判断する請求項９に記載のネットワーク映画商品確立方法。
【請求項１１】
前記所定の比率値は、１００の２５である請求項９に記載のネットワーク映画商品確立方法。
【請求項１２】
前記キャリブレーションエリアは、該商品イメージの該再生画面中の表示位置の左上隅の座標、水平幅及び垂直高さが形成する矩形標示ブロックである請求項９に記載のネットワーク映画商品確立方法。
【請求項１３】
前記商品イメージが表す商品の関連データは、商品名、商品サムネイルＵＲＬ及び商品説明ＵＲＬを含む請求項９に記載のネットワーク映画商品確立方法。
【請求項１４】
使用者の操作に基づいて活動データベースを確立することに適用するネットワーク映画広告確立方法であって、該活動データベースは、複数の活動データを含み、且つ該活動データは、映画コード欄、時間ラベル欄、キャリブレーションエリア欄及び広告データ欄を含み、該方法は、
ネットワーク映画を再生する；
該使用者の再生一時停止の要求を受けて継続再生を選択する時、該使用者が指定する広告活動を取得する；
該使用者の再生一時停止の要求を受けず、且つ所定時間に到達する時、以下のステップを繰り返し実行する；
該ネットワーク映画の再生画面にある時間ラベル及び該使用者指定の標示エリアブロックを取得する；
該ネットワーク映画の映画コード、該再生画面の該ネットワーク映画にある該時間ラベル、該標示エリアブロック及び該広告活動の関連データをそれぞれ該活動データベースの該映画コード欄、該時間ラベル欄、該キャリブレーションエリア欄及び該広告データ欄に記録する；
ステップを含むネットワーク映画広告確立方法。
【請求項１５】
前記所定時間は、１秒である請求項１４に記載のネットワーク映画広告確立方法。
【発明の詳細な説明】
【技術分野】
【０００１】
本発明は、ネットワークサービスシステム及び方向に関し、特に、ネットワーク映画商品即時選択購入システム及び方法に関する。
【背景技術】
【０００２】
映画鑑賞は、ビデオ録画再生技術の成熟以来、人々の重要な娯楽活動の１つとなっており、いくらかの芸能人、商品又は撮影シーンもこの娯楽活動の普及に伴って生み出されている。
【０００３】
過去の経験から、非常に人気の映画が出現する時、流向を追う者は、一時のトレンドを追わずにいられず、このトレンドは、映画中でスターが着用した用品を着用し、映画中のスターの消費行為を模倣し、映画を撮影した現場に回想に趣くこと等を含んでいる。従って、商品の販促に熱心なメーカーは、できるかぎり映画製作単位と交流し、販促したい商品又は広告場所を製作単位に使用させるように図り、いわゆるプロダクト・プレイスメントを行っている。
【０００４】
しかしながら、従来の映画鑑賞過程は、往々にしてただ映画サービスプロバイダが単一方向に映画を提供するのみであり、鑑賞者は、映画鑑賞過程で如何なるインタラクションの機会もなく、更に映画鑑賞において、心が動いても依然として行動することはできず、別途オンラインストア又は実体の店舗で別途購入する必要があり、興味のある撮影シーンに対しても即座にその詳細なデータを調べることができず、このように、大衆の即時取得の心理を満足することができないだけでなく、更に、メーカーに即時販促の機会を提供することもできず、非常に残念である。
【先行技術文献】
【特許文献】
【０００５】
【特許文献１】特開２０１２−１４１９８７号公報
【発明の概要】
【発明が解決しようとする課題】
【０００６】
これに鑑み、本発明の目的は、映画鑑賞過程で再生画面に表示される商品を即時クリックし、映画商品の選択購入を行うことができ、使用者の商品を即時取得する心理を満足し、同時にメーカーに即時販促の機会を提供するネットワーク映画商品即時選択購入システム及び方法を提供することである。
【０００７】
本発明のもう１つの目的は、映画鑑賞過程で再生画面に表示されるシーンをクリックし、シーンの詳細データの更なる理解を行わせ、使用者の現場へ赴く要求を満足し、同時にメーカーに即時販促の機会を提供するネットワーク映画商品即時選択購入システム及び方法を提供することである。
【課題を解決するための手段】
【０００８】
上記及びその他の目的を達成する為、本発明が提供するネットワーク映画商品即時選択購入システムは、使用者がネットワーク映画を鑑賞時にネットワーク映画中に表示される商品を即時選択購入することに適用し、このシステムは、ネットワークサーバと映画プレイヤーを含む。
【０００９】
ネットワークサーバは、活動データベースを有し、活動データベースは、複数の活動データを含み、各活動データは、映画コード欄、時間ラベル欄、キャリブレーションエリア欄及び商品データ欄を含み、映画コード欄の映画コードは、鑑賞のネットワーク映画を指し、時間ラベル欄の時間ラベルは、ネットワーク映画の時間軸上のイメージ画面を指し、キャリブレーションエリア欄のキャリブレーションエリアは、ネットワーク映画の時間ラベルが指すイメージ画面中で表示する商品の位置を表し、商品データ欄は、ネットワーク映画の時間ラベルが指すイメージ画面のキャリブレーションエリアが表示する商品の関連データの為である。映画プレイヤーは、例えば、インターネットでネットワークサーバに接続し、ネットワーク映画を再生し、使用者に鑑賞させることに用いられる。
【００１０】
そのうち、使用者がネットワーク映画の再生画面に表示される商品をクリックする時、映画プレイヤーは、使用者がクリックした再生画面の映画コード、時間ラベル及びクリック座標をネットワークサーバに伝送し、ネットワークサーバにその活動データベース中の活動データを対比させ、且つ映画コードが指すネットワーク映画の時間ラベル前後の所定時間区間の活動データが前記クリック座標を含むキャリブレーションエリアを有する時、この活動データの商品データ欄の商品データを活動リスト中に列挙し、使用者に検索又は確認選択購入させる。
【００１１】
実施例において、このネットワーク商品即時選択購入システムのネットワークサーバは、前記商品データを映画プレイヤーに伝送し、映画プレイヤーが商品データをその活動リスト中に列挙し、使用者に検索又は調整を選択させる。
【００１２】
実施例において、このネットワーク映画商品即時選択購入システムのネットワークサーバは、その活動データベースの部分的活動データが、映画コード欄、時間ラベル欄、キャリブレーションエリア欄及び広告データ欄を含み、広告データ欄は、ネットワーク映画の時間ラベルが指すイメージ画面のキャリブレーションエリアに表示するシーンの関連広告データの為である。
【００１３】
実施例において、このネットワーク映画商品即時選択購入システムは、そのうちの所定時間区間は、映画コードが指すネットワーク映画の時間ラベル前後の各０．６秒である。
【００１４】
本発明は、更にネットワーク映画商品即時選択購入方法を提供し、それは、ネットワークサーバに適用し、使用者にネットワーク映画を鑑賞時にネットワーク映画中に表示される商品を選択購入させる。ネットワークサーバは、活動データベースを有し、活動データベースは、複数の活動データを含み、各活動データは、映画コード欄、時間ラベル欄、キャリブレーションエリア欄及び商品データ欄を含み、映画コード欄の映画コードは、鑑賞のネットワーク映画を指し、時間ラベル欄の時間ラベルは、ネットワーク映画の時間軸上のイメージ画面を指し、キャリブレーションエリア欄のキャリブレーションエリアは、ネットワーク映画の時間ラベルが指すイメージ画面中で表示する商品の位置を表し、商品データ欄は、ネットワーク映画の時間ラベルが指すイメージ画面のキャリブレーションエリアが表示する商品の関連データの為である。
【００１５】
このネットワーク映画商品即時選択購入方法は、以下のステップを含む：使用者がネットワーク映画の再生画面に表示される商品をクリックする時、クリックされた再生画面の映画コード、時間ラベル及びクリック座標を受け取る；再生画面の映画コード、時間ラベル及びクリック座標をネットワークサーバの活動データベース中の活動データと対比させる；映画コードが指すネットワーク映画の時間ラベル前後の所定時間区間の活動データがクリック座標を含むキャリブレーションエリアを有する時、この活動データの商品データ欄の商品データを伝送し、活動リスト中に列挙させる。
【００１６】
そのうち、このネットワーク映画商品即時選択購入方法は、更に、使用者に活動リストの検索又は調整を選択させるステップを含む。
【００１７】
そのうち、このネットワーク映画商品即時選択購入方法の活動データベースの部分活動データは、映画コード欄、時間ラベル欄、キャリブレーションエリア欄及び広告データ欄を含み、広告データ欄は、ネットワーク映画の時間ラベルが指すイメージ画面のキャリブレーションエリアが表示するシーンの関連データの為である。
【００１８】
そのうち、このネットワーク映画商品即時選択購入方法の所定時間区間は、映画コードが指すネットワーク映画の時間ラベルの前後各６．０秒である。
【００１９】
本発明は、また、ネットワーク映画商品確立方法を提供し、それは、ネットワーク映画商品即時選択購入に必要な活動データベースを確立することに適用され、活動データベースは、複数の活動データを含み、各活動データは、映画コード欄、時間ラベル欄、キャリブレーションエリア欄及び商品データ欄を含む。このネットワーク映画商品確立方法は、以下のステップを含む：ネットワーク映画の再生画面のイメージを取得する；商品のイメージを取得する；商品イメージが取得した再生画面中に存在するかを対比する；商品イメージが取得した再生画面に存在する場合、ネットワーク映画の映画コード、再生画面をネットワーク映画が所在する時間ラベル、商品イメージが再生画面中に表示されるキャリブレーションエリア及び商品イメージが表す商品の関連データをそれぞれ活動データベースの映画コード欄、時間ラベル欄、キャリブレーションエリア欄及び商品データ欄に記録する。
【００２０】
そのうち、このネットワーク映画商品確立方法は、商品イメージの特徴が再生画面に存在する比率が所定の比率より高い時、取得した商品イメージが取得した再生画面中に存在すると判断する。
【００２１】
そのうち、このネットワーク映画商品確立方法の前記所定の比率値は、１００の２５である。
【００２２】
そのうち、このネットワーク映画商品確立方法のキャリブレーションエリアは、取得した商品イメージの再生画面中の表示位置の左上隅の座標、水平幅及び垂直高さが形成する矩形標示ブロックである。
【００２３】
そのうち、このネットワーク映画商品確立方法の商品イメージが表す商品の関連データは、商品名、商品サムネイルＵＲＬ及び商品説明ＵＲＬを含む。
【００２４】
本発明は、更にネットワーク映画広告確立方法を提供し、それは、使用者の操作に基づいて活動データベースを確立し、活動データベースは、複数の活動データを含み、且つ活動データは、映画コード欄、時間ラベル欄、キャリブレーションエリア欄及び広告データ欄を含む。このネットワーク映画広告確立方法は、以下のステップを含む：ネットワーク映画を再生する；使用者の再生一時停止の要求を受けて継続再生を選択する時、使用者が指定する広告活動を取得する；使用者の再生一時停止の要求を受けず、且つ所定時間に到達する時、以下のステップを繰り返し実行する；ネットワーク映画の再生画面にある時間ラベル及び使用者指定の標示エリアブロックを取得する；ネットワーク映画の映画コード、再生画面のネットワーク映画にある時間ラベル、標示エリアブロック及び広告活動の関連データをそれぞれ活動データベースの映画コード欄、時間ラベル欄、キャリブレーションエリア欄及び広告データ欄に記録する。
【００２５】
そのうち、このネットワーク映画商品確立方法が設定する所定時間は、１秒であることが好ましい。
【発明の効果】
【００２６】
上記のように、本発明が提供するネットワーク映画商品即時選択購入システム及び方法は、使用者に映画鑑賞過程で再生画面に表示する商品又はシーンを即時クリックすることによって映画商品の即時選択購入を行うか、興味のあるシーンの詳細データの更なる理解をもたせることができ、使用者の即時の商品取得の心理を満足し、同時にメーカーに即時販促の機会を提供することができる。
【図面の簡単な説明】
【００２７】
【図１】本発明の好適実施例のネットワーク映画商品即時選択購入システムの説明図である。
【図２】本発明の好適実施例のネットワーク映画商品確立方法のフロー図である。
【図３】本発明の好適実施例のネットワーク映画広告確立方法のフロー図である。
【図４】図１のネットワーク映画商品即時選択購入システムの映画プレイヤーのサービスのフロー図である。
【図５】図１のネットワーク映画商品即時選択購入システムのネットワークサーバのサービスのフロー図である。
【発明を実施するための形態】
【００２８】
本発明の上記及びその他の目的、特徴及び利点を更に分かり易くする為、以下に実施例を挙げ、図面に合わせて詳細を説明する。
【００２９】
図１を参照し、それは、本発明の好適実施例のネットワーク映画商品即時選択購入システムの説明図である。図において、このネットワーク映画商品即時選択購入システムは、活動データベースを含むネットワークサーバ１１と、インターネット１２を介してネットワークサーバ１１に接続し、ネットワーク映画を再生し、使用者に鑑賞させることに用いる例えばパソコン１３、タブレットＰＣ１４又は携帯電話１４又は携帯電話１５が構成する映画プレイヤーと、を含む。
【００３０】
そのうち、ネットワークサーバ１１の活動データベースは、複数の活動データを含み、各活動データは、映画コード欄、時間ラベル欄、キャリブレーションエリア欄及び商品データ欄を含み、映画コード欄の映画コードは、鑑賞のネットワーク映画を指し、時間ラベル欄の時間ラベルは、ネットワーク映画の時間軸上のイメージ画面を指し、キャリブレーションエリア欄のキャリブレーションエリアは、ネットワーク映画の時間ラベルが指すイメージ画面中で表示する商品の位置を表し、商品データ欄は、ネットワーク映画の時間ラベルが指すイメージ画面のキャリブレーションエリアが表示する商品の関連データの為である。
【００３１】
また、ネットワークサーバ１１に含まれる活動データベースが有する一部の活動データは、映画コード欄、時間ラベル欄、キャリブレーションエリア欄及び広告データ欄を含むものであることもでき、広告データ欄は、ネットワーク映画の時間ラベルが指すイメージ画面のキャリブレーションエリアが表示するシーンの関連広告データの為である。即ち、商品データ欄及び広告データ欄は、活動データベースの活動データ欄を構成し、商品データ又は広告データを収容する。
【００３２】
図２を参照し、それは、本発明の好適実施例のネットワーク映画商品確立方法のフロー図であり、このフローは、ネットワークサーバ１１の活動データベース中の商品関連活動データを確立することに用いる。
【００３３】
図において、先ず、ステップ２０１は、ネットワーク映画の再生画面のイメージを取得し、ステップ２０２において、商品イメージを取得し、その後、ステップ２０３において、商品イメージ及びネットワーク映画の再生画面のイメージ間の特徴の相似度を対比し、ステップ２０４において、その特徴の相似度が所定値より高いかを判断し、即ち、商品イメージの特徴が再生画面に存在する比率が、例えば１００分の２５の所定の比率値より高いかを判断し、商品イメージが取得した再生画面中に存在するかを決定する。
【００３４】
ステップ２０４が取得する商品イメージが取得する再生画面に存在すると判断する時、ステップ２０５に入り、ネットワーク映画の映画コード、再生画面のネットワーク映画に所在する時間ラベル、商品イメージが再生画面中に標示されるキャリブレーションエリア及び商品イメージが表す商品の関連データをそれぞれ活動データベースの映画コード欄、時間ラベル欄、キャリブレーションエリア欄及び商品データ欄に記録する。
【００３５】
ステップ２０４が取得する商品イメージが取得する再生画面に存在しないと判断する時、ステップ２０６に入り、更に対比が必要な商品があるかを判断し、あれば、ステップ２０２に戻り、対比が必要な商品の商品イメージを取得し、継続して対比及び商品データの選択記録のプロセスを行う。これに対して、対比すべき商品がない場合、ステップ２０７に入り、映画が既に終了しているかを判断し、映画が終了していなければ、ステップ２０１に戻り、ネットワーク映画の再生画面のイメージをチュ特使、更なる再生画面のイメージ中に即時選択購入させることが可能な商品があるかを判断し、ネットワーク映画の再生画面の即時選択購入商品データを確立する。
【００３６】
そのうち、商品データが再生画面中に標示されるキャリブレーションエリアは、取得される商品イメージの再生画面中に標示される位置の左上隅座標、水平幅及び垂直高さが形成する矩形標示ブロックであるか、その他の商品イメージを覆う規則的又は不規則なブロックであることができる。記録する商品イメージが表す商品の関連データは、商品名、商品サムネイルＵＲＬ及び商品説明ＵＲＬを含み、使用者に退化に選択購入するかを審酌する参考とさせることができる。
【００３７】
図３を参照し、それは、本発明の好適実施例のネットワーク映画広告確立方法のフロー図であり、このフローは、ネットワークサーバ１１の活動データベース中の例えば、シーンと関連する広告活動データを確立することに用いられる。
【００３８】
図において、先ず、ステップ３０１において、映画を再生し、その後、ステップ３０２に入り、使用者が再生一時停止の指令を出したかを判断し、使用者が再生一時停止の指令を出していない時、ステップ３１０に入り、映画が再生を完了したかを判断し、再生が完了していれば、終了まで再生を持続する。また、ステップ３０２で使用者が既に再生一時停止の指令を出している時、使用者がイメージ中に広告シーンを発見し、且つこのシーンの広告データを活動データベース中に確立しようとしていることを表し、映画を鑑賞する使用者が映画を鑑賞する時にシーンの関連データを選択査読できるようにする。当然ながら、当業者であれば分かるように、この人工的介入による活動データ確立方法は、活動データベースの広告シーンを確立することに用いる以外、同様に、活動データベース中の商品データを確立ことに用いることもできる。
【００３９】
ステップ３０２において、使用者が既に再生一時停止の指令を出していると判断する時、ステップ３０３に入り、使用者が確立したい活動データの広告活動関連データを入力し、再生継続指令を出すのを待つ。使用者が再生継続指令を出した後、ステップ３０４に入り、使用者が入力する広告活動関連データを取得し、ステップ３０５において、ネットワーク映画の再生画面が所在する時間ラベル及び使用者が指定する標示ブロックを取得し、その後に、ステップ３０６において、ネットワーク映画の映画コード、再生画面のネットワーク映画が所在する時間ラベル、標示ブロック及び広告活動の関連データをそれぞれ活動データベースの映画コード欄、時間ラベル欄、キャリブレーションエリア欄及び広告データ欄に記録する。
【００４０】
その後、ステップ３０７に入り、使用者が再生一時停止の指令を出したかを判断し、指令が無ければ、ステップ３０８に入り、所定時間に到達したかを判断し、且つステップ３０８が所定時間に到達していると判断する時、ステップ３０５及び３０６に戻り、ネットワーク映画の映画コード、ネットワーク映画が所在する時間ラベル、標示エリアブロック及び広告活動の関連データを含む活動データを再度記録する。
【００４１】
そのうち、所定時間が１秒であることが好ましく、即ち、使用者がステップ３０２において、広告シーンを発見しており、且つ再生一時停止の指定を出し、このシーンの広告データを活動データベースに確立する時、確立したい活動データの広告活動関連データを入力した後、再生の継続の指令を出し、映画再生画面が表示するシーンの変化に伴い、画面上に示す標示エリアブロックの位置及び大きさを調整し、プログラムが１秒間隔で活動データを自動記録し、映画鑑賞させる使用者に映画鑑賞時にシーンの関連データを選択査読させる。
【００４２】
また、ステップ３０７において、使用者が再度再生一時停止の指令を出したと判断する時、発見したシーンの関連データの確立の終了を表し、ステップ３０９に入り、使用者の再生継続の指令を待った後、前記活動データのシーンを確立するプログラムを映画再生完了まで繰り替えし行う。
【００４３】
図４及び図５を参照し、それは、図１のネットワーク映画商品即時選択購入システムの映画プレイヤー及びネットワークサーバのフロー図である。ステップ４０１において、映画再生過程において、それぞれステップ４０２、４０４、４０５、及び４０９により、使用者がスクリーン上のネットワーク映画の再生画面に表示される商品、映画が再生完了しているか、ネットワークサーバ１１の応答を受けたか、及び使用者がリスト検索の指令を出しているか等を判断する。
【００４４】
映画プレイヤーがステップ４０２において、使用者がスクリーン上のネットワーク映画の再生画面に標示される商品をクリックする時、ステップ４０３に入り、使用者がクリックする再生画面の映画コード、時間ラベル及びクリック座標等のデータをネットワークサーバ１１に伝送し、ネットワークサーバ１１がステップ５０１において、受け取り、ステップ５０２において、受け取った再生画面の映画コード、時間ラベル及びクリック座標をその活動データベースの活動データに対比し、その後、ステップ５０３において、対比結果に適合する活動があるかを判断する。
【００４５】
ステップ５０２，５０３において、受け取った映画コードが指すネットワーク映画の時間ラベル前後、例えば、０．６秒の所定時間区間の活動データがクリック座標のキャリブレーションエリアを含む時、ステップ５０４に入り、適合する活動データの商品データ欄の商品データを映画プレイヤーに伝送し、映画プレイヤーにこの活動データを活動リストに加えさせる。含まなければ、ステップ５０５に入り、該使用者のクリックが無効なクリックであることを映画プレイヤーに応答する。
【００４６】
この時、映画プレイヤーは、ステップ４０５において、ネットワークサーバ１１の応答を受け、ステップ４０６に入り、応答結果に活動データがあるかを判断し、且つ活動データがあると判断する時、ステップ４０７に入り、受け取った活動データを活動リストに加え、ステップ４０８において、例えば、小さなイメージの提示情報を発し、使用者がクリックした商品又は広告がリスト中に既にあることを知らせる。
【００４７】
また、映画プレイヤーがステップ４０４において、映画が既に再生完了していると判断するか、ステップ４０９において、使用者がリスト検索の指令を出したと判断する時、ステップ４１０に入り、活動リスト中の例えば、商品名、商品サムネイルＵＲＬ及び所品説明ＵＲＬ又は広告データＵＲＬ等の活動データを画面上に表示し、使用者にＵＲＬのリンクを介して活動詳細を査読させる。
【００４８】
リスト検索過程において、映画プレイヤーは、ステップ４１１，４１３及び４１５により使用者がＵＲＬのリンクを介して活動詳細の査読、活動リストの調整を行うか、映画が再生完了しているかを判断し、使用者が活動詳細を査読することを選択する時、ステップ４１２に入り、ＵＲＬリンクの活動詳細画面を表示して使用者に査読させ、使用者が活動リストの調整を選択する時、ステップ４１４に入り、使用者の選択に合わせて例えば、活動データの削除等のリストの調整を行い、映画再生が完了する時、ステップ４１６に入り、使用者に購入を確定するかを選択させ、使用者が購入確定を選択する時、ステップ４１７に入り、商品リストを例えば、オンラインショッピングサービスサーバに伝送し、後続の使用者の支払い確認、商品発送等のオンラインショッピングサービスを行う。
【００４９】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００５０】
１１  ネットワークサーバ
１２  インターネット
１３  パソコン
１４  タブレットＰＣ
１５  携帯電話
２０１〜５０５  フローステップ
【図１】
2016119038.tif 000003
【図２】
2016119038.tif 000004
【図３】
2016119038.tif 000005
【図４】
2016119038.tif 000006
【図５】
2016119038.tif 000007